(57)【特許請求の範囲】
【請求項１】
本体部及び前記本体部と接するへり部分がラウンド状に形成されたスクリーン部を含む携帯電子機器を保護するためのプロテクタにおいて、
前記スクリーン部の平面部分に付着されて前記スクリーン部の平面部分を保護し、透明の材質からなる平面保護部と；
前記平面保護部に結合して前記スクリーン部のラウンド状に形成されたへり部分に付着されて、前記スクリーン部のへり部分を保護するように四角の閉鎖輪状に形成されるへり保護部；及び
前記へり保護部の四辺から拡張形成されており、かつ、前記携帯電子機器の本体部側面形状に相応する形状に形成されており、前記携帯電子機器の本体部を保護する本体保護部とを含む
携帯電子機器用プロテクタ。
【請求項２】
前記平面保護部と前記へり保護部との結合部分には段差加工がなされており、互いに結合する
ことを特徴とする請求項１に記載の携帯電子機器用プロテクタ。
【請求項３】
前記平面保護部と前記へり保護部との結合部分には溝と突起とが形成されており、互いに結合する
ことを特徴とする請求項１または請求項２に記載の携帯電子機器用プロテクタ。
【請求項４】
前記携帯電子機器の本体部の後方を保護するための後方保護部材をさらに含む
ことを特徴とする請求項１に記載の携帯電子機器用プロテクタ。
【請求項５】
前記平面保護部は、ガラスまたは透明の合成樹脂からなる
ことを特徴とする請求項１に記載の携帯電子機器用プロテクタ。
【請求項６】
前記へり保護部は、合成樹脂または金属素材からなる
ことを特徴とする請求項１に記載の携帯電子機器用プロテクタ。
【発明の詳細な説明】
【技術分野】
【０００１】
本発明は、携帯電子機器用プロテクタに関する。より詳しくは、スマートフォンなどの携帯電子機器のスクリーン部にラウンド状が含まれた場合にもスクリーン部を効果的に保護できる携帯電子機器用プロテクタに関する。
【背景技術】
【０００２】
近来の急激なスマートフォンの需要と合わせてスマートフォン用アクセサリ市場の規模も幾何級数的に拡大している。
【０００３】
このようなスマートフォン用アクセサリの内、スマートフォンの本体部を保護するためのケースとスマートフォンのスクリーン部を保護するためのフィルムまたはガラス材質のプロテクタが占める割合が非常に高い。
【０００４】
従来のスマートフォン用ケースの場合、主な目的がスマートフォンの本体部を掠りや衝撃から保護することであったため、スマートフォンのスクリーン部を保護するためには別のスクリーン保護用プロテクタを買わなければいけない問題があった。
【０００５】
一方、最近にはスマートフォンにおいて、独創的なデザインが試されていて、このような新しいデザインの試みとして、スクリーン部の形状を従来の単純な平面状からへり部分にラウンド状が含まれた形状に変えた製品が市販された。
【０００６】
しかし、このようなラウンド状を含むスクリーン部を保護するために、従来のようなスクリーン保護用プロテクタをつける場合、ラウンド状のへり部分で浮き現象が発生する問題があって、へり部分での浮き現象を避けるために、スクリーン保護用プロテクタのサイズを減らす場合には美観が毀損する問題があった。
【先行技術文献】
【特許文献】
【０００７】
【特許文献１】大韓民国公開特許第１０−２０１２‐００８３８３５号公報
【発明の概要】
【発明が解決しようとする課題】
【０００８】
本発明は、前記のような問題を解決するために提案されたものであって、ラウンド状が含まれたスクリーン部の平面部分を保護する平面保護部とへり部分を保護するへり保護部とを同時に備えることによって、ラウンド状が含まれたスクリーン部の全体を効果的に保護できて、美観の毀損も防止できる携帯電子機器用プロテクタを提供することを特徴とする。
【０００９】
また、本発明は、へり保護部から拡張される本体保護部をさらに備えることによって、携帯電子機器のスクリーン部とともに本体部も同時に保護できるようにして使用者の追加的に購買する負担を減らす携帯電子機器用プロテクタを提供することを特徴とする。
【課題を解決するための手段】
【００１０】
前記目的を達成するための本発明の実施例による携帯電子機器用プロテクタは、へり部分がラウンド状に形成されたスクリーン部と、このスクリーン部が設置される本体部を含む携帯電子機器を保護するためのプロテクタにおいて、前記スクリーン部に付着されて前記スクリーン部の平面部分を保護し、透明の材質からなる平面保護部と、前記平面保護部に結合して前記スクリーン部に付着されて、前記スクリーン部のへり部分を保護するように四角の閉鎖輪状に形成されるへり保護部を含むことを特徴とする。
前記へり保護部から拡張形成されており、前記携帯電子機器の本体部を保護する本体保護部をさらに含むことが好ましい。
【００１１】
前記携帯電子機器の本体部の後方を保護するための後方保護部材をさらに含むことが好ましい。
【００１２】
前記平面保護部と前記へり保護部との結合部分には、段差加工がなされており、互いに結合することが好ましい。
【００１３】
前記平面保護部と前記へり保護部との結合部分には、溝と突起とが形成されており、互いに結合することが好ましい。
【００１４】
前記平面保護部は、ガラスまたは透明の合成樹脂からなることが好ましい。
前記へり保護部は、合成樹脂または金属素材からなることが好ましい。
【００１５】
前記携帯電子機器の本体部を保護する別途のバンパー部材をさらに含むことが好ましい。
【発明の効果】
【００１６】
前述のように携帯電子機器用プロテクタによると、ラウンド状が含まれたスクリーン部の平面部分を保護する平面保護部とへり部分を保護するへり保護部とを同時に備えることによって、ラウンド状が含まれたスクリーン部の全体が効果的に保護できるようになって、美観の毀損も防止できるようになる。
【００１７】
また、へり保護部から拡張される本体保護部をさらに備えることによって、携帯電子機器のスクリーン部とともに本体部も同時に保護できるようになって、これによって使用者の追加的な購買の負担を減らすようになる。
【図面の簡単な説明】
【００１８】
【図１】本発明の第一実施例による携帯電子機器用プロテクタと携帯電子機器を示した図面である。
【図２】本発明の第一実施例による携帯電子機器用プロテクタと携帯電子機器を示した図面であり、携帯電子機器用プロテクタが平面保護部とへり保護部で分離構成された場合を示した図面である。
【図３】本発明の第一実施例による携帯電子機器用プロテクタが携帯電子機器に付着した状態を示した図面である。
【図４】本発明の第一実施例による携帯電子機器用プロテクタが携帯電子機器に付着した状態を示した側面断面図であり、携帯電子機器用プロテクタの平面保護部とへり保護部との結合構造の一実施例を示した図面である。
【図５】本発明の第一実施例による携帯電子機器用プロテクタが携帯電子機器に付着した状態を示した側面断面図であり、携帯電子機器用プロテクタの平面保護部とへり保護部との結合構造の他の実施例を示した図面である。
【図６】本発明の第二実施例による携帯電子機器用プロテクタと携帯電子機器を示した図面である。
【図７】本発明の第二実施例による携帯電子機器用プロテクタが携帯電子機器に付着した状態を示した図面である。
【図８】本発明の第一実施例または第二実施例による携帯電子機器用プロテクタに追加的に適用される後方保護部材と携帯電子機器を示した図面である。
【図９】本発明の第一実施例による携帯電子機器用プロテクタが携帯電子機器に付着した状態を示した側面断面図であり、後方保護部材が追加的に適用された場合を示した図面である。
【図１０】本発明の第一実施例による携帯電子機器用プロテクタが携帯電子機器に付着した状態を示した側面断面図であり、後方保護部材が追加的に適用された場合を示した図面である。
【発明を実施するための形態】
【００１９】
以下から添付の図面を参照して本発明の好ましい実施例を詳細に説明する。
図１は、本発明の第一実施例による携帯電子機器用プロテクタと携帯電子機器を示した図面であり、図２は、本発明の第一実施例による携帯電子機器用プロテクタと携帯電子機器を示した図面であり、携帯電子機器用プロテクタが平面保護部とへり保護部とで分離構成された場合を示した図面であり、図３は、本発明の第一実施例による携帯電子機器用プロテクタが携帯電子機器に付着した状態を示した図面であり、図４は、本発明の第一実施例による携帯電子機器用プロテクタが携帯電子機器に付着した状態を示した側面断面図であり、携帯電子機器用プロテクタの平面保護部とへり保護部との結合構造の一実施例を示した図面であり、図５は、本発明の第一実施例による携帯電子機器用プロテクタが携帯電子機器に付着した状態を示した側面断面図であり、携帯電子機器用プロテクタの平面保護部とへり保護部との結合構造の他の実施例を示した図面である。
【００２０】
また、図６は、本発明の第二実施例による携帯電子機器用プロテクタと携帯電子機器を示した図面であり、図７は、本発明の第二実施例による携帯電子機器用プロテクタが携帯電子機器に付着した状態を示した図面であり、図８は、本発明の第一実施例または第二実施例による携帯電子機器用プロテクタに追加的に適用される後方保護部材と携帯電子機器を示した図面であり、図９は、本発明の第一実施例による携帯電子機器用プロテクタが携帯電子機器に付着した状態を示した側面断面図であり、後方保護部材が追加的に適用された場合を示した図面であり、図１０は、本発明の第一実施例による携帯電子機器用プロテクタが携帯電子機器に付着した状態を示した側面断面図であり、後方保護部材が追加的に適用された場合を示した図面である。
【００２１】
図１ないし図５を参照して説明し、図６ないし図１０を部分的に参照すると、本発明の第一実施例による携帯電子機器用プロテクタは、へり部分（１１ｂ）がラウンド状に形成されたスクリーン部（１１）と、このスクリーン部（１１）が設置される本体部（１２）を含む携帯電子機器（１０）を保護するためのプロテクタであって、平面保護部（１００）とへり保護部（２００）とを含む。
【００２２】
前記平面保護部（１００）は、前記携帯電子機器（１０）の前記スクリーン部（１１）に付着されて前記スクリーン部（１１）の平面部分（１１ａ）を保護するためのものであり、前記携帯電子機器（１０）の液晶に表示される情報が外部にそのまま表示されて伝達できるように透明の材質からなることが好ましく、前記携帯電子機器（１０）の液晶に用いられるタッチ方式がそのまま使用できるようにする材質からなることが好ましい。従って、前記平面保護部（１００）は、フィルム、ガラス、合成樹脂、セラミックなどの様々な材質からなることができるが、高鮮明度とタッチ感及び強度を満たすガラス材質からなることがさらに好ましい。
【００２３】
また、このような平面保護部（１００）の一面の内、前記スクリーン部（１１）の平面部分（１１ａ）と接触する部分には図示されていないが、接着層がさらに形成できる。
【００２４】
前記へり保護部（２００）は、前記平面保護部（１００）に結合されて前記スクリーン部（１１）に付着されて前記スクリーン部（１１）のへり部分（１１ｂ）を保護するためのものであり、前記スクリーン部（１１）のへり部分の全体形状に相応する形状である四角の閉鎖輪状に形成されることが好ましい。
【００２５】
一方、前記へり保護部（２００）は、合成樹脂、金属などの様々な材質からなることができて、前記スクリーン部（１１）のへり部分（１１ｂ）と接触する部分には、図示されていないが、接着層がさらに形成することができる。
【００２６】
一方、前記平面保護部（１００）と前記へり保護部（２００）とは、製造の過程で互いに結合した形態になることができるが、図２に図示されたように、互いに分離された形になることもできる。前記平面保護部（１００）と前記へり保護部（２００）とが互いに分離された形でなる場合、これらの間を固定するための接着部材がさらに追加される。
【００２７】
一方、前記平面保護部（１００）と前記へり保護部（２００）とが予め結合した形であるか、もしくは、互いに分離された形であるかとは関係なく、前記平面保護部（１００）と前記へり保護部（２００）とは、結合部分でデザイン的な一体感を与えるために図４に図示されたように結合部分に段差加工をして、互いに結合するようにできる。即ち、前記平面保護部（１００）の端部（１１０）に段差を形成して、これに応じて結合する前記へり保護部（２００）の端部（２１０）に段差を形成することができる。このような場合、前記平面保護部（１００）から前記へり保護部（２００）まで、一つの曲線によるデザイン的な一体感が得られる。
【００２８】
一方、前記のようなデザイン的一体感よりは前記平面保護部（１００）に加えられる外部の衝撃を防止するために図５に図示されたように、前記へり保護部（２００）が前記平面保護部（１００）よりさらに突出するように構成することができる。このような場合、先に説明した段差加工をする必要はなく、図示されたように前記平面保護部（２００）の端部に結合溝（１２０）を形成し、これに応じて結合する前記へり保護部（２００）の端部（２１０）に結合突起（２１１）を形成することができる。
【００２９】
一方、本発明の第一実施例による携帯電子機器用プロテクタは、図８に図示されたように、前記携帯電子機器（１０）の本体部（１２）の後方を保護するための後方保護部材（４００）をさらに含むことができる。
【００３０】
このような後方保護部材（４００）は、前記携帯電子機器（１０）の本体部（１２）の後方の内、中央部分（１２ｂ）を保護するための中央保護部材（４１０）と、前記携帯電子機器（１０）の本体部（１２）の後方の内、上側部分（１２ｃ）と下側部分（１２ｄ）及びへり部分とを保護するための外郭保護部材（４２０）とを含む。
【００３１】
前記外郭保護部材（４２０）は、前記携帯電子機器（１０）の本体部（１２）の後方の内、へり部分と上側部分（１２ｃ）及び下側部分（１２ｄ）におのおの相応する形で形成されるへり保護部（４２１）と上側保護部（４２２）と下側保護部（４２３）とを含む。
【００３２】
前記中央保護部材（４１０）と前記外郭保護部材（４２０）とは、互いに接着などの方法によって固定でき、一体で形成することもできる。
一方、図９には前記後方保護部材（４００）が追加的に適用されて携帯電子機器（１０）に結合した状態を示した側面断面図が図示される。
【００３３】
以下では、図６ないし図１０を参照し、図１ないし図５を部分的に参照して本発明の第二実施例による携帯電子機器用プロテクタを説明する。
【００３４】
本発明の第二実施例による携帯電子機器用プロテクタは、先に説明した本発明の第一実施例と部分的に同じである。即ち、基本的に平面保護部（１００）とへり保護部（２００）とを含む。
【００３５】
本発明の第二実施例による携帯電子機器用プロテクタは、図６及び図７に図示されたようにへり保護部（２００）から拡張形成されており、前記携帯電子機器（１０）の本体部（１２）を保護する本体保護部（３００）をさらに含むことを特徴とする。このような本体保護部（３００）は、前記携帯電子機器（１０）の本体部（１２）の側面（１２ａ）形状に相応する形で形成される。
【００３６】
ここで、前記本体保護部（３００）は、前記へり保護部（２００）から拡張形成されるが、これと違って前記携帯電子機器（１０）の本体部（１２）を保護できる別途のバンパー部材を適用して前記本体保護部（３００）を代替することもできる。このような別途のバンパー部材は、前記携帯電子機器（１０）の本体部（１２）の側面（１２ａ）を連続的にくるめるように輪状に形成されることが好ましい。
【００３７】
一方、本発明の第二実施例による携帯電子機器用プロテクタは、先に説明した本発明の第一実施例と同様、図８に図示されたように、前記携帯電子機器（１０）の本体部（１２）の後方を保護するための後方保護部材（４００）をさらに含むことができる。
【００３８】
このような後方保護部材（４００）は、前記携帯電子機器（１０）の本体部（１２）の後方の内、中央部分（１２ｂ）を保護するための中央保護部材（４１０）と、前記携帯電子機器（１０）の本体部（１２）の後方の内、上側部分（１２ｃ）と下側部分（１２ｄ）及びへり部分とを保護するための外郭保護部材（４２０）とを含む。
【００３９】
前記外郭保護部材（４２０）は、前記携帯電子機器（１０）の本体部（１２）の後方の内、へり部分と上側部分（１２ｃ）及び下側部分（１２ｄ）とにおのおの相応する形で形成されるへり保護部（４２１）と上側保護部（４２２）と下側保護部（４２３）とを含む。
【００４０】
前記中央保護部材（４１０）と前記外郭保護部材（４２０）とは、互いに接着などの方法によって固定できて、一体で形成することもできる。
【００４１】
一方、図１０には、前記後方保護部材（４００）が追加的に適用されて携帯電子機器（１０）に結合した状態を示した側面断面図が図示される。
【００４２】
前述のような本発明の実施例による携帯電子機器用プロテクタによると、ラウンド状が含まれたスクリーン部の平面部分を保護する平面保護部とへり部分を保護するへり保護部とを同時に備えることによって、ラウンド状が含まれたスクリーン部の全体が効果的に保護できるようになり、美観の毀損も防止できる。また、へり保護部から拡張される本体保護部をさらに備えることによって、携帯電子機器のスクリーン部とともに、本体部も同時に保護できるようになり、これによって使用者の追加的な購買の負担を減らすことができる。
【００４３】
以上、本発明の特定の実施例に関して図示し、説明したが、本発明の技術分野で通常の知識を有する者ならば、下記の特許請求の範囲に記載の本発明の事象及び領域から外れない範囲で本発明を様々に修正及び変更できることは理解する必要がある。
【符号の説明】
【００４４】
１０  ：携帯電子機器
１１  ：スクリーン部
１１ａ：平面部分
１１ｂ：へり部分
１２  ：本体部
１２ａ：側面
１２ｂ：中央部分
１２ｃ：上側部分
１２ｄ：下側部分
１００  ：平面保護部
１１０  ：端部
１２０  ：結合溝
２００  ：へり保護部
２１０  ：端部
２１１  ：結合突起
３００  ：本体保護部
４００  ：後方保護部材
４１０  ：中央保護部材
４２０  ：外郭保護部材
４２１  ：へり保護部
４２２  ：上側保護部
４２３  ：下側保護部
【要約】
【課題】ラウンド状が含まれたスクリーン部の全体を効果的に保護できて、美観の毀損も防止できる携帯電子機器用プロテクタを提供する。
【解決手段】このような携帯電子機器用プロテクタは、へり部分がラウンド状で形成されたスクリーン部とこのスクリーン部が設置される本体部とを含む携帯電子機器を保護するためのプロテクタにおいて、前記スクリーン部に付着されて前記スクリーン部の平面部分を保護し、透明の材質からなる平面保護部と、前記平面保護部に結合して前記スクリーン部に付着され、前記スクリーン部のへり部分を保護するように四角の閉鎖輪状で形成されるへり保護部とを含むことを特徴とする。
【選択図】図１【図１】
0005913697.tif 000002
【図２】
0005913697.tif 000003
【図３】
0005913697.tif 000004
【図４】
0005913697.tif 000005
【図５】
0005913697.tif 000006
【図６】
0005913697.tif 000007
【図７】
0005913697.tif 000008
【図８】
0005913697.tif 000009
【図９】
0005913697.tif 000010
【図１０】
0005913697.tif 000011